(57)【要約】【課題】  発射後において、筒体の発射口が下向きになって保持されたとしても、火薬体受座が滑落して筒体から離脱するのを確実に防止することができるクラッカーを提供する。【解決手段】  筒体１は、前方へ至るにしたがい径大な円錐状を呈する紙製のもので、その前端に発射口（放出口）２が形成されており、この放出口２は、折曲自在に連設した複数のフラップからなる蓋部３で塞がれている。筒体１の内部には、火薬体４と、火薬体４に通し付けられた引紐５と、樹脂製漏斗形の火薬体受座８とが収納され、火薬体受座８より後方に延出する引紐５の後端部５ａは筒体１の後端孔９から外部へ導出してある。筒体１の内面には、火薬体受座８の前端に当接干渉して、該火薬体受座８が放出口２の方向に移動して、筒体１から脱落するのを防止する係止部１７が設けられている。【選択図】      図１
2005172375.tif 000002
【特許請求の範囲】
【請求項１】
前端に放出口を有する筒体の内部に、引紐の引張り操作で爆発する火薬体およびこの火薬体を受ける火薬体受座を備えているクラッカーにおいて、
前記筒体の内面に前記火薬体受座に干渉して該火薬体受座が前記筒体から脱落するのを防止する係止部が設けられていることを特徴とするクラッカー。
【請求項２】
請求項１に記載のクラッカーにおいて、
前記係止部が前記筒体に一体に形成されて該筒体の内面に突出する係止片によって構成されていることを特徴とするクラッカー。
【請求項３】
請求項１に記載のクラッカーにおいて、
前記係止部が前記筒体の内面に後付けされて該筒体の内面に突出する係止体によって構成されていることを特徴とするクラッカー。
【発明の詳細な説明】
【技術分野】
【０００１】
本発明は、引紐の引張り操作によって火薬体が爆発して、単に爆発音を発生させるだけのクラッカー、あるいは火薬体の爆発に伴う爆発音とともに軽量の紙テープなどの噴出物を空中に放出させるクラッカーに関する。
【背景技術】
【０００２】
引紐の引張り操作による火薬体の爆発に伴って軽量の紙テープなどの噴出物を空中に放出させるとともに、放出した噴出物が筒体から分離して散乱するのを防止するとともに、噴出物の飛距離を大きく稼いで、興趣性や演出効果を高め得るように構成したクラッカーが本発明出願人によって既に提案されている（特許文献１）。
【０００３】
前記特許文献１のクラッカーは、図５に示すように、前方へ至るにしたがい径大な円錐状（角錐状でもよい）の紙製またはプラスチック製の筒体１の前端に、発射口２を形成するとともに、筒体１の前端に折曲自在に連設した複数のフラップからなる蓋部３で塞いでいる。筒体１の内部には、火薬体４と、火薬体４に通し付けられた引紐５と、発射口２と火薬体４との間に前後して配される噴出物６および受圧板７と、引紐５を火薬体４より後ろ側で移動自在に挿通した樹脂製漏斗形の火薬体受座８とを収納している。火薬体受座８より後方に延出する引紐５の後端部５ａは筒体１の後端孔９から外部へ導出してある。
【０００４】
受圧板７は、噴出物６の載置面として機能する円板状の受圧頭部７ａと、この受圧頭部７ａの外周縁の一箇所から折曲自在に後方へ連設された第１脚部７ｂと、受圧頭部７ａの外周縁の他の箇所から折曲自在に後方へ連設された第２脚部７ｃとを有する。第１脚部７ｂはこれの後端部に孔１０を有し、この孔１０に前記火薬体４から前方へ十分な余裕をもって延出された引紐５の前方延出端部５ｂを通して一体的に結び付けている。一方、第２脚部７ｃの後端部の一側には、可撓性を有する細長い帯状の延出片１１の後端部を、折目１２を介して折曲自在に一体に連設してある。この帯状の延出片１１は第２脚部７ｃの一側縁に沿わせて受圧頭部７ａより前方へ延出し、その先端に孔１３を設け、この孔１３に前記噴出物６の一端部を通して一体的に結び付けている。
【０００５】
噴出物６は、適当な長さ（たとえば２ｍ）を有する複数個（図示例では４個）の小巻きテープ１４からなり、各小巻きテープ１４の巻終端部１４ａをテープ環１５の内周面部に接着固定してなる。このテープ環１５の延出端部１５ａは、前記帯状の延出片１１の先端の孔１３に通して結び付けている。小巻きテープ１４は、紙製のカラーテープあるいはプラスチックフィルムよりなるテープ基材にアルミニゥムなどの金属を蒸着したものなどによってなる。
【０００６】
前記構成のクラッカーによれば、引紐５の後端部５ａを後方へ強く引っ張って火薬体４を爆発させると、蓋部３は受圧板７を介して爆風を受けることで開いて発射口２を開放し、噴射物６が受圧板７により発射口２から前方へ向けて放出される。このとき、受圧板７の受圧頭部７ａが爆発圧を受けることにより、第１脚部７ｂが引紐５の前方延出端部５ｂと連結されている状態の下で、瞬間的に図６のように、受圧頭部７ａが第１脚部７ｂとの折曲自在な連設部をのばして第１脚部７ｂの前方延長線上に展開し、さらに第２脚部７ｃが受圧頭部７ａとの折曲自在な連設部をのばして前方へのびるとともに、帯状の延出片１１も第２脚部７ｃとの折曲自在な折目１２部分で反転して発射口２より前方へ長くのびる。このように、受圧板７および帯状の延出片１１が一直線状に長くのびたところで、帯状の延出片１１の先端部によって小巻きテープ１４を振り出すように勢いよく空中へ放出させる。
【０００７】
すなわち、第１脚部７ｂの長さ、受圧頭部７ａの径方向長さ、第２脚部７ｃ、帯状の延出片１１の長さを加えた長さ分に相当して、小巻きテープ１４の飛距離を稼いで、小巻きテープ１４を空中へ高くしかも遠くへ飛ばすことができる。また、発射後、小巻きテープ１４は、帯状の延出片１１、受圧板７および引紐５を介して筒体１側と連なった状態に保たれているため、小巻きテープ１４が筒体１から離脱して周囲に散乱するのを防止できるので、使用済みクラッカーの回収、後始末を簡易迅速に行うことができる。
【０００８】
【特許文献１】特開２０００−２４９４９８号公報
【発明の開示】
【発明が解決しようとする課題】
【０００９】
しかし、前記従来のクラッカーでは、発射後において、筒体１の発射口２が下向きになると、樹脂製漏斗形の火薬体受座８が滑落して筒体１から離脱し、受圧板７、帯状の延出片１１、テープ環１５および複数個の小巻きテープ１４からなる噴出物６などを同伴して使用者の足下周辺部に落下する問題がある。このような火薬体受座８が滑落して筒体１から離脱する問題は、前記図５，図６で説明したクラッカーのみならず、小巻きテープなどの噴出物が筒体１から離脱して周囲に散乱する防止対策が講じられていない通常構造のクラッカーや「音だけクラッカー」と称されるクラッカー、つまり、筒体１の内部への噴出物６や受圧板７の収納を省略し、火薬体４と火薬体受座８のみを収納した構造のクラッカーにもいえることである。
【００１０】
本発明は、このような問題を解決するものであって、その目的とするところは、発射後において、たとえ筒体の発射口が下向きになって保持されたとしても、火薬体受座が滑落して筒体から離脱するのを確実に防止することができるクラッカーを提供することにある。
【課題を解決するための手段】
【００１１】
本発明は、前端に放出口を有する筒体の内部に、引紐の引張り操作で爆発する火薬体およびこの火薬体を受ける火薬体受座を備えているクラッカーにおいて、前記筒体の内面に前記火薬体受座に干渉して該火薬体受座が前記筒体から脱落するのを防止する係止部が設けられていることを特徴とするものである。
【００１２】
このように、筒体の内面に設けられている係止部が火薬体受座に干渉することで、火薬体受座が筒体から脱落するのを確実に防止することができる。
【００１３】
本発明においては、前記係止部を、前記筒体に一体に形成されて該筒体の内面に突出する係止片によって構成することが望ましい。このように構成することで、筒体の製作後に係止片を該筒体の内面に折り曲げる簡単な作業によって、係止部を設けることができるので、部品点数の削減と係止部製作の容易化を図って、クラッカーの製造能率を向上させることができる。
【００１４】
また、本発明においては、前記係止部を前記筒体の内面に後付けされて該筒体の内面に突出する係止体によって構成してもよい。このように構成することで、係止体に補強リブの機能をもたせて、筒体の強度と保形性とを高めることができる。
【発明の効果】
【００１５】
本発明によれば、筒体の内面に設けられている係止部が火薬体受座に干渉することにより、発射後において、たとえ筒体の発射口（放出口）が下向きになって保持されたとしても、火薬体受座が滑落して筒体から離脱するのを確実に防止することができる。
【発明を実施するための最良の形態】
【００１６】
以下、本発明の実施形態を図面に基づいて説明する。なお、本発明に係るクラッカーにおいて、前記図５，図６で説明した部分と同一部分については、同一の符号を付して説明する。
【００１７】
図１は本発明に係るクラッカーの第１実施形態を示す半截斜視図であり、「音だけクラッカー」と称されるクラッカーを示している。このクラッカーは、前方へ至るにしたがい径大な円錐状（角錐状でもよい）の紙製またはプラスチック製の筒体１の前端に、発射口（放出口）２を形成するとともに、筒体１の前端に折曲自在に連設した複数のフラップからなる蓋部３で塞いでいる。筒体１の内部には、火薬体４と、火薬体４に通し付けられた引紐５と、樹脂製漏斗形の火薬体受座８とを収納している。火薬体受座８より後方に延出する引紐５の後端部５ａは筒体１の後端孔９から外部へ導出してある。なお、放出口２を、筒体１の前端に折曲自在に連設した複数のフラップからなる蓋部３で塞いでいるが、筒体１とは別体に形成し前蓋を放出口２内に緩くはめ込んで塞ぐ構造であってもよい。
【００１８】
筒体１の内面には、火薬体受座８の前端に当接干渉して、該火薬体受座８が放出口２の方向に移動して、筒体１から脱落するのを防止する係止部１７が設けられている。この係止部１７は、筒体１に一体に形成されて該筒体１の内面に突出する係止片１７Ａによって構成されている。
【００１９】
図１に示す前方へ至るにしたがい径大な円錐状の紙製またはプラスチック製の筒体１を作成する場合の展開板取り図の一例を図２に示す。なお図２の展開板取り図は、厚紙シート１８をその内面側から見た図である。この図において、１８ａは一方側の糊しろとして機能する一方側の傾斜域、１８ｂは他方側の糊しろとして機能する他方側の傾斜域を示し、この他方側の糊しろとして機能する他方側の傾斜域１８ｂには、他方側の傾斜線１８ｄに直交する小さい切り込み１８ｃを設け、この切り込み１８ｃを起点に他方側の傾斜線１８ｄに平行に先端側にのびる斜線で示す帯状部分１８ｅのみを非糊しろとして機能させる。
【００２０】
すなわち、図２における厚紙シート１８を矢印Ｒ方向に曲成して、一方側の傾斜域１８ａの内面に、他方側の傾斜域１８ｂにおける帯状部分１８ｅ以外の表面を、接着剤（図示省略）を介して重ね合わせて互いに接着させる。これにより、、帯状部分１８ｅを除く他方側の傾斜域１８ｂの表面が一方側の傾斜域１８ａの内面に接着された円錐状の紙製筒体１、つまり前方へ至るにしたがい径大で、複数のフラップからなる蓋部３が開放されている円錐状の紙製筒体１が作成される。この場合、帯状部分１８ｅは、図３（ａ）に示すように、一方側の傾斜域１８ａの内面に非接着状態で重なっている。
【００２１】
前記図３（ａ）に示す状態で、開放されている放出口２（ただし、図３には放出口２は図示していない）から筒体１の内部に、図３（ｂ）に示すように、火薬体受座８と火薬体４を収納したのちに、前記帯状部分１８ｅを、図３（ｃ）に示すように、筒体１の内方に略直角に折り曲げることで、帯状部分１８ｅを係止片１７Ａとした係止部１７が筒体１の内部に設けられ、係止片１７Ａの内端１７ａを火薬体受座８の前端８ａに当接干渉させて、火薬体受座８が筒体１から脱落するのを確実に防止することができる。
【００２２】
このように、係止部１７が筒体１に一体に形成された帯状部分１８ｅを筒体１の内面に折り曲げた係止片１７Ａによって構成されていることにより、筒体１の製作後に帯状部分１８ｅ、つまり係止片１７Ａを該筒体１の内面に折り曲げる簡単な作業によって、係止部１７を設けることができるので、部品点数の削減と係止部製作の容易化を図って、クラッカーの製造能率を向上させることができる。
【００２３】
前記構成のクラッカーによれば、引紐５の後端部５ａを後方へ強く引っ張って火薬体４を爆発させると、大きい爆発音が発生するのと同時に、蓋部３は爆風を受けることで開いて発射口２を開放し、「音だけクラッカー」と称されるクラッカーの使用が完了する。
【００２４】
クラッカーの使用完了後において、筒体１の発射口２が下向きになっても、筒体１の内面に設けられている係止部１７が火薬体受座８に当接干渉していることにより、火薬体受座８が滑落して筒体１から使用者の足下周辺部に脱落するのを確実に防止することができる。このため、火薬体受座８を足下から拾い上げて回収する余分な作業が不要になる。
【００２５】
一方、図４（ａ）に示すように、筒体１の内面に突出する環状の係止体１７Ｂを、接着剤（図示省略）を介して筒体１の内面に後付けすることで、係止部１７を構成してもよい。このように構成しても、前記第１実施形態で説明した係止片１７Ａによってなる係止部１７と同様の作用効果を奏し得るとともに、係止体１７Ｂに補強リブの機能をもたせて、筒体１の強度と保形性とを高めることができる。
【００２６】
また、図４（ｂ）に示すように、筒体１の内面に突出する複数個（たとえば３個）のセグメント形の係止体１７Ｃを、接着剤（図示省略）を介して筒体１の内面に円周方向等間隔で後付けすることで、係止部１７を構成してもよい。さらに、図４（ｃ）に示すように、筒体１の内面に突出するＣ字状の係止体１７Ｄを、自己の弾性による拡開作用で筒体１の内面に圧接させて後付けすることで、係止部１７を構成してもよい。このような構成であれば、接着剤（図示省略）の使用を省略することができる。
【００２７】
前記実施形態では、前方へ至るにしたがい径大な円錐状（角錐状でもよい）の筒体１の内部に、火薬体４と、火薬体４に通し付けられた引紐５と、樹脂製漏斗形の火薬体受座８とを収納した「音だけクラッカー」と称されるクラッカーについて説明しているが、図４に示すように、内径が一様な筒体１の内部に、火薬体４と、火薬体４に通し付けられた引紐５と、樹脂製漏斗形の火薬体受座８とを収納した「音だけクラッカー」と称されるクラッカーであってもよい。なお、図４の実施形態において、図１の実施形態と同一部分には同一符号を付して、重複する作用の説明は省略する。
【００２８】
また、前記実施形態では、「音だけクラッカー」と称されるクラッカーについて説明しているが、本発明は、前記実施形態のみに限定されるものではなく、前記図５，図６で説明した小巻きテープ１４などの噴出物６が筒体１から離脱して周囲に散乱する防止対策を講じているクラッカーのみならず、小巻きテープなどの噴出物が筒体から離脱して周囲に散乱する防止対策が講じられていない通常構造のクラッカーにも適用可能である。
【図面の簡単な説明】
【００２９】
【図１】本発明に係るクラッカーの第１実施形態を示す半截斜視図である。
【図２】筒体を作成する場合の展開板取り図の一例である。
【図３】係止片によってなる係止部の作成手順を筒体の放出口側から見た説明図であり、  図３（ａ）は筒体が作成された直後の状態を示す説明図、図３（ｂ）は筒体の内部に火薬体や火薬体受座などが収納された状態を示す説明図、図３（ｃ）は係止片からなる係止部によって火薬体受座が係止された状態を示す説明図である。
【図４】係止体からなる係止部を筒体の放出口側から見た説明図であり、  図４（ａ）は環状の係止体からなる係止部を示す説明図、図４（ｂ）はセグメント形の係止体からなる係止部を示す説明図、図４（ｃ）はＣ字状の係止体からなる係止部を示す説明図である。
【図５】従来例を示す半截斜視図である。
【図６】図５の使用状態を示す斜視図である。
【符号の説明】
【００３０】
１  筒体
２  発射口（放出口）
４  火薬体
５  引紐
８  火薬体受座
１７  係止部
１７Ａ  係止片
１７Ｂ  係止体
【図１】
2005172375.tif 000003
【図２】
2005172375.tif 000004
【図３】
2005172375.tif 000005
【図４】
2005172375.tif 000006
【図５】
2005172375.tif 000007
【図６】
2005172375.tif 000008